(57)【要約】【課題】無給水で窓ガラスの洗浄が行える建築物窓ガラスの洗浄方法を提供する。【解決手段】窓ガラス４、５を冷気Ｓにより冷却し、大気中の水分を窓ガラス４の表面に凝結させ、その水分を利用して洗浄するため、給水をしなくても窓ガラス４の洗浄が行える。凝結させた水Ｗは脱塩水と同じで不純物を含まないため洗浄に最適である。従って水が貴重な中東地域等に設置される建築物において最適の洗浄方法である。【選択図】図２
2015080609.tif 000002
【特許請求の範囲】
【請求項１】
建築物の窓ガラスを二重にしてその間に低温の流体を循環させる通路を形成し、
該通路に低温の流体を循環して窓ガラスを露点以下に冷却し、
窓ガラスの表面に大気中の水分を凝結させ、
凝結させた水分を利用して窓ガラスの表面を洗浄することを特徴とする建築物窓ガラスの洗浄方法。
【請求項２】
窓ガラスの表面に光触媒層を予め形成する請求項１記載の建築物窓ガラスの洗浄方法。
【請求項３】
建築物の窓ガラスが間隙部を有する二重構造であり、該間隙部の空間が冷却媒体の流路を規定し、
前記窓ガラスの表面に光触媒層が形成され、
前記流路に接続され冷却媒体を冷却しつつ循環させる冷媒循環部を具備し、
前記窓ガラスを露点以下に冷却して表面に大気中の水分を凝結することにより窓ガラスの表面を洗浄することを特徴とする窓ガラス洗浄機構。
【発明の詳細な説明】
【技術分野】
【０００１】
本発明は建築物窓ガラスの洗浄方法およびその洗浄機構に関する。
【背景技術】
【０００２】
建築物の窓ガラスには汚れが付着するため定期的に洗浄する必要がある。日本など比較的土埃の少ない地域では定期的に窓ガラスに洗浄水を吹き付けてワイパーで拭き取るだけで良いが、中東や北アフリカ或いは内陸部では土埃が窓ガラスの表面に多く付着するため、洗浄回数も多くなり、使用する水の量も多くなる。しかもこのように土埃の多い地域では水が大変に貴重なため、洗浄にために貴重な水を大量に使用することに抵抗感もある。洗浄した水を回収して再利用する窓ガラスの洗浄装置もあるが、構造が複雑で操作も面倒である（例えば、特許文献１参照）。
【先行技術文献】
【特許文献】
【０００３】
【特許文献１】特開昭６１−２７９２１６号公報
【発明の概要】
【発明が解決しようとする課題】
【０００４】
以上のように、窓ガラスの洗浄に大量の水を利用するため、特に水が貴重な中東地域等において、この洗浄方法は受け入れられにくい。また雨の少ない内陸地などでは雨水を溜めて利用することもできない。
【０００５】
本発明はこのような従来の技術に着目してなされたものであり、特別に水を用意せずに窓ガラスの洗浄が行える建築物窓ガラスの洗浄方法を提供することを目的としている。
【課題を解決するための手段】
【０００６】
請求項１記載の発明は、建築物の窓ガラスを二重にしてその間に低温の流体を循環させる通路を形成し、該通路に低温の流体を循環して窓ガラスを冷却し、窓ガラスの表面に大気中の水分を凝結させ、凝結させた水分を利用して窓ガラスの表面を洗浄することを特徴とする。
【０００７】
請求項２記載の発明は、窓ガラスの表面に光触媒層を予め形成することを特徴とする。
【０００８】
請求項３記載の発明は、建築物の窓ガラスが間隙部を有する二重構造であり、該間隙部の空間が冷却媒体の流路を規定し、前記窓ガラスの表面に光触媒層が形成され、  前記流路に接続され冷却媒体を冷却しつつ循環させる冷媒循環部を具備し、前記窓ガラスを露点以下に冷却して表面に大気中の水分を凝結することにより窓ガラスの表面を洗浄することを特徴とする。
【発明の効果】
【０００９】
請求項１および２記載の発明によれば、窓ガラスを低温の流体により冷却し、大気中の水分を窓ガラス表面に凝結させ、その水分を利用して洗浄するため、特別に水を用意しなくても窓ガラスの洗浄が行える。従って水が貴重な中東地域等に設置される建築物において最適の洗浄方法である。
【００１０】
請求項２記載の発明によれば、窓ガラス表面に光触媒層を予め形成するため、光触媒の親水性により窓ガラス表面で凝結した水分が水滴にならず、窓ガラス表面において広く拡がった水の膜の状態で存在するため、窓ガラス表面の汚れを除去しやすい。
【図面の簡単な説明】
【００１１】
【図１】ビルを示す全体図。
【図２】ビルの窓ガラス部分を示す断面図。
【図３】窓ガラスの拡大断面図。
【発明を実施するための形態】
【００１２】
本発明の好適な実施形態を図１〜図３に基づいて説明する。
【００１３】
ビル（建築物）１の外壁２には多くの窓枠３が形成されており、その窓枠３内に窓ガラス４、５が固定されている。窓ガラス４、５は透明な強化ガラスから成る二重構造で、その間に冷却媒体としての流体の流路を規定する通路６として窓ガラス５、６と平行で面状に拡がる空間（間隙部）が形成されている。表面側の窓ガラス４の表面には酸化チタンによる光触媒層７が形成されている。光触媒層７は実質的に透明で窓ガラス４の透光性に影響を与えない。本実施形態では冷却媒体は空気等の気体として説明する。
【００１４】
窓ガラス４、５における通路６の上側隅と下側隅にはそれぞれ外壁２の内部を貫通する注入口８と排出口９が形成されている。注入口８と排出口９は各フロアごとにそれぞれ隣接する窓ガラス４、５の通路６と図示せぬパイプを介して連続されている。そして窓ガラス４、５における最初の注入口８と最後の排出口９がそれぞれ冷気循環装置１０（冷媒循環部）に接続されている。したがって、窓ガラス４、５の通路６と冷気循環装置１０は１まわりに循環する流路を形成している。また、冷気循環装置１０は冷凍機を内蔵しており、温度５〜１０℃の冷気（冷却気体）Ｓを循環することができる。
【００１５】
窓ガラス４、５は二重構造のため、そのままで断熱性が高く、室内の冷房効果や暖房効果を維持する働きをする。
【００１６】
また冷気Ｓを循環すると２枚の窓ガラス４、５の間の通路６が冷気Ｓで満たされて露点（水蒸気の凝結温度）以下の低温になる。そのため窓ガラス４、５の外気中の水分は窓ガラス４の表面に凝結して付着する。
【００１７】
窓ガラス４の表面には光触媒層７が形成されていため、光触媒の親水性機能により、表面で凝結した水分は水滴にならず、窓ガラス４の表面で広く拡がった水Ｗの膜として存在する。この水Ｗは一種の蒸留水で一般的に洗浄に使用されている脱塩水と同じで不純物を含まないため窓ガラス４の洗浄に使用することができる。
【００１８】
このように水Ｗが付着した窓ガラス４の表面をワイパー等で拭き取ったり、高圧空気を噴射したりすることにより、窓ガラス４の表面の汚れを除去することができる。室内側の窓ガラス５にも結露するが、限られた室内空間に含まれる水分だけが結露するため、外側ほど多く結露せず問題を生じない。したがって無給水にもかかわらず周辺雰囲気に含まれる水分から得られた水Ｗによる窓ガラス４の洗浄が可能となる。洗浄後は冷気循環装置１０からの冷気Ｓの吹き出しを停止する。
【００１９】
尚、冷却媒体は冷気Ｓの代わりに冷水循環装置で製造した５〜１０℃の冷水を通路６に循環させても良い。冷気Ｓの場合と同様に窓ガラス４の表面に水を凝結させることができる。尚、冷水の場合は通路６からの排水を十分に行う必要がある。
【符号の説明】
【００２０】
１  ビル（建築物）
４、５  窓ガラス
６  通路
７  光触媒層
１０  冷気循環装置（冷媒循環部）
Ｓ  冷気（低温の流体）
Ｗ  水
【図１】
2015080609.tif 000003
【図２】
2015080609.tif 000004
【図３】
2015080609.tif 000005